(57)【要約】  映像信号を表す複数の画像間の互いに対応する位置を見つけ易くするマーカー発生の方法を提供する。  映像信号を表す１つの画像（８００）内の位置を、例えばカーソル（８０２，８０４）で選択し、映像信号を表す別の画像（８１０，８２０）内において、選択された前記位置に対応する位置にマーカー（８１２，８２２〜８２６）を表示する。
2013171891.tif 000002
【特許請求の範囲】
【請求項１】
マーカーを表示する方法であって、
映像信号を表す１つの画像内の位置を選択するステップと、
映像信号を表す別の画像内において、選択された前記位置に対応する位置にマーカーを表示するステップと、
を含む方法。
【請求項２】
請求項１記載の方法において、
前記１つの画像内の位置と前記別の画像内の位置とは、前記映像信号内の同じ位置に対応する、方法。
【請求項３】
請求項１または２に記載の方法において、
前記１つの画像と前記別の画像とは、映像信号を互いに異なった形態で表示する、方法。
【請求項４】
請求項１から３のいずれかに記載の方法において、
前記１つの画像は、ピクチャー表示モードで表示された前記映像信号の画像であり、
前記別の画像は、ベクトル表示モードまたは波形表示モードで表示された前記映像信号の画像である、方法。
【請求項５】
請求項１から４のいずれかに記載の方法において、
前記選択するステップと前記表示するステップは、同じ１つのモニター、あるいは別々のモニターで実行する、方法。
【請求項６】
請求項１から５のいずれかに記載の方法において、
前記選択するステップは、
前記１つの画像内の前記位置の選択を受けるステップであって、前記位置の選択はカーソルの使用によって選択される、ステップと、
選択された前記位置を表す位置データを発生するステップと、
を含み、
前記表示するステップは、前記位置データを受けて前記選択された位置に対応する位置を求めるステップを含む、
方法。
【請求項７】
請求項１から６のいずれかに記載の方法において、
前記１つの画像は、ピクチャー表示モードで表示された前記映像信号の画像であり、
前記別の画像は、ベクトル表示モードで表示された前記映像信号の画像であり、
前記方法は、さらに、
前記別の画像が表示されるベクトル表示座標内の位置を選択して該位置に追加のマーカーを表示するステップを含み、
前記追加のマーカーは、前記別の画像が表示される前記ベクトル表示座標内においてユーザーが選択した位置を示す、
方法。
【請求項８】
請求項７に記載の方法において、
前記方法は、
前記追加のマーカーを、第１の前記映像信号に関し表示された前記別の画像内の第１の前記マーカーの位置に配置するステップであって、これにより第２の前記映像信号に関し表示される前記別の画像内の第２の前記マーカーとの位置関係を示す、ステップ、
を含み、前記第２の映像信号を表す前記１つの画像内の前記第２のマーカーが示す前記選択された位置の画像部分は、前記第１の映像信号を表す前記１つの画像内の前記第１のマーカーが示す前記選択された位置の画像部分に対応する、方法。
【請求項９】
請求項７または８に記載の方法において、
前記追加のマーカーを表示するステップは、さらに、前記追加のマーカーに関連した数値を表示するステップを含み、前記追加のマーカーに関連した数値は、前記別の画像が表示されるベクトル表示座標内の位置を示し、
前記マーカーを表示するステップは、さらに、前記マーカーに関連した数値を表示するステップを含み、前記マーカーに関連した数値は、前記別の画像が表示される前記ベクトル表示座標内の位置を示す、方法。
【請求項１０】
請求項１から９のいずれかに記載の方法をコンピュータに実行させるためのコンピュータ読み取り可能命令を格納したコンピュータ読み取り可能記憶媒体。
【請求項１１】
請求項１から９のいずれかに記載の方法をコンピュータに実行させるためのコンピュータ・プログラム。
【請求項１２】
マーカーを表示する装置であって、
映像信号を表す１つの画像内の位置を選択する選択回路であって、前記１つの画像は表示器に表示される、選択回路と、
映像信号を表す別の画像内において、選択された前記位置に対応する位置に表示するマーカーを生成するマーカー生成回路であって、前記表示器が、前記別の画像とマーカーを表示する、マーカー生成回路と、
を含むマーカー表示装置。
【請求項１３】
請求項１２記載のマーカー表示装置において、
前記選択回路と前記マーカー生成回路は、同じ１つのモニター、あるいは別々のモニターに設けられた、マーカー表示装置。
【請求項１４】
請求項１２または１３に記載のマーカー表示装置において、
前記選択回路は、
前記１つの画像内の前記位置の選択を受ける入力回路と、
選択された前記位置を表す位置データを生成する生成回路と、
を含み、
前記マーカー生成回路は、
前記位置データを受けて前記選択された位置に対応する位置を決定する位置決定回路と、
前記選択された位置に対応する位置に配置されたマーカーを表す画像を生成するマーカー画像生成回路と、
を含む、マーカー表示装置。
【請求項１５】
請求項１２から１４のいずれかに記載のマーカー表示装置において、
前記１つの画像内の位置と前記別の画像内の位置とは、前記映像信号内の同じ位置に対応する、方法。
【請求項１６】
請求項１２から１５のいずれかに記載のマーカー表示装置において、
前記１つの画像と前記別の画像とは、映像信号を互いに異なった形態で表示する、マーカー表示装置。
【請求項１７】
請求項１２から１６のいずれかに記載のマーカー表示装置において、
前記１つの画像は、ピクチャー表示モードで表示された前記映像信号の画像であり、
前記別の画像は、ベクトル表示モードまたは波形表示モードで表示された前記映像信号の画像である、マーカー表示装置。
【請求項１８】
請求項１２から１７のいずれかに記載のマーカー表示装置において、
前記１つの画像は、ピクチャー表示モードで表示された前記映像信号の画像であり、
前記別の画像は、ベクトル表示モードで表示された前記映像信号の画像であり、
前記マーカー表示装置は、さらに、
前記別の画像が表示されるベクトル表示座標内の位置を選択して該位置に追加のマーカーを表示する追加マーカー表示回路を含み、
前記追加のマーカーは、前記別の画像が表示される前記ベクトル表示座標内においてユーザーが選択した位置を示す、
マーカー表示装置。
【請求項１９】
請求項１８に記載のマーカー表示装置において、
前記追加マーカー表示回路は、
前記別の画像内の第２の位置を選択する選択回路であって、前記別の画像は前記表示器に表示される、選択回路と、
前記別の画像において、選択された前記第２の位置に表示する追加マーカーを生成する追加マーカー生成回路であって、前記表示器が、前記別の画像と、前記マーカーと、前記追加マーカーを表示する、追加マーカー生成回路と、
を含み、これにより、前記追加のマーカーを、第１の前記映像信号に関し表示された前記別の画像内の第１の前記マーカーの位置に配置し、これにより第２の前記映像信号に関し表示される前記別の画像内の第２の前記マーカーとの位置関係を示し、前記第２の映像信号を表す前記１つの画像内の前記第２のマーカーが示す前記選択された位置の画像部分は、前記第１の映像信号を表す前記１つの画像内の前記第１のマーカーが示す前記選択された位置の画像部分に対応する、マーカー表示装置。
【請求項２０】
請求項１８または１９に記載のマーカー表示装置において、
前記追加マーカー生成回路は、さらに、前記追加のマーカーに関連した数値を生成し、該追加のマーカーに関連した数値は、前記別の画像が表示されるベクトル表示座標内の位置を示し、前記表示器が前記追加のマーカーに関連した数値を表示し、
前記マーカー生成回路は、さらに、前記マーカーに関連した数値を生成し、該マーカーに関連した数値は、前記別の画像が表示されるベクトル表示座標内の位置を示し、前記表示器が前記マーカーに関連した数値を表示する、マーカー表示装置。
【発明の詳細な説明】
【技術分野】
【０００１】
本発明は、映像信号を表す画像においてマーカーを表示する方法及び装置に関する。
【背景技術】
【０００２】
テレビジョン番組やビデオの撮影の現場では、カメラのゲインやオフセットを調整するときには、従来より、波形モニターやベクトルスコープが使用されている。この調整においては、カメラで撮影した特定の映像(例えば、ゴルフ中継なら芝、トーク番組なら人の顔など)を、カメラ調整のための基準として使用している。
【発明の概要】
【発明が解決しようとする課題】
【０００３】
映像信号関係の最近のモニターは、波形モニターの機能に加えベクトルスコープの機能も備えていて、映像信号のピクチャー表示や波形表示に加え、映像信号のベクトル表示を行うことができるようになっている。これらベクトル表示、ピクチャー表示及び波形表示では、同じ映像信号を形態を変えて表現しているため、それら異なった表示で提供される画像間の関連づけを行うことが容易でない場合がある。すなわち、ピクチャー表示は、撮像画像をそのままの形態、すなわち水平ラインで構成されたフレームの形態のラスタ画像で表示し、波形表示は、映像信号に含まれた種々の信号成分の大きさを時間軸で表示し、ベクトル表示は、映像信号から得た２つの色差信号（CbとCr）の値をそれぞれ横軸入力と縦軸入力として使って描画してそれら色差信号が構成するベクトルの先端の軌跡を表示するものである。したがって、ピクチャー表示による画像と波形表示による画像とは、映像信号の時間を用いて、それら異なった画像内の位置をおおよそではあるが相関付けることは可能である。しかし、ベクトル表示による画像は、映像信号の時間によってはベクトル表示画像内の位置を特定することができない。この結果、同じ１つの映像信号の異なった表示画像が提供されても、ある１つの画像内のどの部分が、他の画像内のどの部分に対応するのかを正確に特定することは、容易ではなかったりあるいは困難であったりする。【０００４】
尚、映像信号関係のモニターに関して、先行技術として、特開２００２−１６９４８号公報に開示されたガイド信号発生装置がある。このガイド信号発生装置では、検出すべき色の範囲を示すガイド信号をベクトルスコープ上に表示し、また、ピクチャーモニター上に表示された画像のうちの特定の部分（例えば人の肌色部分）をウィンドウマーカーによって選択して抜き出し、この抜き出したその部分をベクトルスコープに供給することにより、ガイド信号で設定した色範囲と、抜き出した画像部分の実際の色の分布とを比較できるようにしている。しかし、この先行技術でも、ピクチャーモニターに表示された画像の任意の点が、映像信号の他の形態の画像のどこに対応するのかを容易に把握することを可能にするものではない。【０００５】
上記の課題に鑑み、本発明は、映像信号を表す複数の画像間の互いに対応する位置を見つけ易くするマーカー発生の方法および装置を提供する。【０００６】
さらに、本発明は、上記マーカー発生に関連したコンピュータ・プログラム、およびコンピュータ読み取り可能記憶媒体を提供する。
【課題を解決するための手段】
【０００７】
以下に述べる種々の側面および実施形態は、方法、装置に関して記述し説明するが、これらは、単なる一例であって説明のためのものであり、したがって範囲限定を意味するものではない。種々の実施形態においては、上記の問題の１つまたはそれ以上が軽減または除去されるが、他の改良のために向けた他の実施形態もある。【０００８】
本発明の１形態によるマーカー表示方法は、映像信号を表す１つの画像内の位置を選択するステップと、映像信号を表す別の画像内において、選択された前記位置に対応する位置にマーカーを表示するステップと、を含む。【０００９】
また、本発明の１形態によるコンピュータ読み取り可能記憶媒体は、上記マーカー表示方法をコンピュータに実行させるためのコンピュータ読み取り可能命令を格納する。【００１０】
また、本発明の１形態によるコンピュータ・プログラムは、上記マーカー表示方法をコンピュータに実行させる。【００１１】
さらに、本発明の１形態によるマーカー表示装置は、映像信号を表す１つの画像内の位置を選択する選択回路であって、前記１つの画像は表示器に表示される、選択回路と、映像信号を表す別の画像内において、選択された前記位置に対応する位置に表示するマーカーを生成するマーカー生成回路であって、前記表示器が、前記別の画像とマーカーを表示する、マーカー生成回路と、を含む。【００１２】
上記の例示的な実施形態および側面に加え、別の実施形態および側面も、図面を参照しまた以下の説明を検討することにより当業者には明らかとなる。
【図面の簡単な説明】
【００１３】
【図１】図１は、本発明の１実施形態による映像信号のモニターを示すブロック図。
【図２】図２は、図１のモニターのフロントパネルを示す正面図。
【図３】図３は、図１の表示制御／付加画像生成回路を実施するコンピュータが実行する処理を示すフローチャート。
【図４】図４は、モニターのスクリーンに表示される、カーソルを含むピクチャー画像の表示例を示す図。
【図５】図５は、モニターのスクリーンに表示される、マーカーを含むベクトル画像の表示例を示す図。
【図６】図６は、モニターのスクリーンに表示される、マーカーを含む波形画像の表示例を示す図。
【図７】図７は、モニターのスクリーンに表示される、マーカーを含む別の波形画像の表示例を示す図。
【図８】図８は、モニターのスクリーンに表示されるマルチ画面モードでの、マーカーを含む画像の表示例を示す図。
【図９】図９は、複数のモニターでマーカーを表示するモニターの構成例を示す図。
【図１０】図１０は、図１の表示制御／付加画像生成回路を実施するコンピュータが実行する処理を示すフローチャートであって、ターゲット・マーカーを表示するための処理を示す。
【図１１】図１１は、図８のマルチ画面モードでの画像に対し、ターゲット・マーカーを追加した表示例を示す図。
【図１２】図１２は、ベクトル画像にターゲット・マーカーのみを追加した表示例を示す図。
【発明を実施するための形態】
【００１４】
以下、図面を参照して、本願発明のいくつかの実施形態について詳細に説明する。
【００１５】
図１は、本発明の１実施形態による映像信号のモニター１００をブロック図で示す。このモニター１００は、表示器１０２と、キー／エンコーダー回路１０４と、シリアル−パラレル変換器１０６と、ピクチャー画像生成回路１０８と、ベクトル画像生成回路１１０と、波形画像生成回路１１２と、変換回路１１４と、変換回路１１６と、選択画素抽出回路１１８と，表示制御／付加画像生成回路１２０と，描画メモリー１２２と、合成回路１２４を備えている。表示器１０２とキー／エンコーダー回路１０４とは、本発明の１実施形態にしたがい生成するマーカーの位置を選択するための位置選択部として作用する。シリアル−パラレル変換器１０６と、画像生成回路１０８、１１０及び１１２と、変換回路１１４及び１１６とは、マーカーを表示する対象である映像信号の画像を生成する映像信号画像生成部として作用する。選択画素抽出回路１１８と，表示制御／付加画像生成回路１２０と，描画メモリー１２２とは、マーカーの表示に関連した映像信号の画像の表示制御と、マーカーである付加画像の生成と、を行う表示制御／付加画像生成部として作用する。合成回路１２４は、マーカーを、これを付加すべき対象である映像信号の画像と合成する合成部として作用する。
【００１６】
本実施形態では、回路１０８、１１０、１１２、１１４、１１６、１１８，１２４は、ＦＰＧＡによって構成している。また、表示制御／付加画像生成回路１２０は、コンピュータとプログラムによって実施している。尚、本実施形態のモニター１００の種々の回路は、全てハードウェアで実現したり、あるいはコンピュータとソフトウェアの組み合わせによって実現することもできる。
【００１７】
次に、まず位置選択部について説明すると、モニター１００のフロントパネル２００を示す図２も参照して説明すると、表示器１０２は、合成回路１２４から合成画像信号を受ける入力と、入力に受けた画像信号に応答して、ユーザーに対しXGAの解像度で画像を表示するスクリーン２０２を有している。キー／エンコーダー回路１０４は、モニター１００を操作するためのキーマトリクス２０４と、エンコーダー・ツマミ２０６を有している。キーマトリクス２０４は、図示のように、ファンクションキーＦ−１〜Ｆ−５、及びその他のキーＰＩＣ、ＷＦＭ，ＶＥＣＴ，ＭＵＬＴＩ等を有し、エンコーダー・ツマミ２０６は、水平カーソルと垂直カーソルを操作するための１対のツマミ（Ｆ・Ｄ１，Ｆ・Ｄ２）とを有している。
【００１８】
本発明に関連したキーのみについて説明すると、モニター１００の表示モードを指定するキーとして、ＰＩＣ、ＷＦＭ，ＶＥＣＴ、ＭＵＬＴＩのキーがある。ＰＩＣキーは、ピクチャー表示モードを指定し、このモードが選択されると、映像信号により構成されるラスタ画像を「ピクチャー画像」として表示する。ＷＦＭキーは、波形表示モードを指定し、このモードが選択されると、映像信号に含まれる成分の時間変動を示す画像を「波形画像」として表示する。ＶＥＣＴキーは、ベクトル表示モードを指定し、このモードが選択されると、従来のベクトルスコープで表示されるのと同様の画像を「ベクトル画像」として表示する。言い換えれば、ベクトル画像では、映像信号から得た２つの色差信号（CbとCr）の値をそれぞれ横軸入力と縦軸入力として使って描画してそれら色差信号が構成するベクトルの先端の軌跡を表示する。ＭＵＬＴＩキーは、マルチ画面モードを指定するキーであり、このモードが選択されると、上記のピクチャー画像と、波形画像と、ベクトル画像とを同時に１つのスクリーンに表示する。尚、マルチ画面モードが選択されなかったときは、シングル画面モードで動作する。
【００１９】
キー／エンコーダー回路１０４は、上記のユーザー操作入力を受けたときに、どのキーが押されたのかを示すキーマトリックス出力を発生し、また、エンコーダー・ツマミ２０６が操作されたときにはその操作を表すエンコーダー出力を発生する。ユーザーは、スクリーン２０２の画像を見ながらその画像上でカーソルを動かすことができる。エンコーダーは、例えばロータリーエンコーダーを含むことができ、この場合、エンコーダーは、そのロータリーエンコーダー出力のパルスを検出し、その操作方向と移動距離を表すデータを更新して得られるエンコーダー出力を発生する。
【００２０】
次に、映像信号画像生成部について説明すると、モニター１００が含むシリアル−パラレル変換器１０６は、カメラからの映像信号、例えば、HD SDI信号（SMPTE274M規格）を受ける入力を有し、そしてこの受けたシリアル形態を有するHD SDI信号を、HD SDIレートを有するパラレル形態の映像信号に変換して、出力に発生する。尚、本実施形態は、映像信号としてHD SDI信号（SMPTE274M規格）の例で説明するが、本発明は、その他の規格（例えば、SD-SDIや3G-SDI、HDMI、Display Port等の様々な映像規格）の映像信号に対しても適用可能である。
【００２１】
次に、ピクチャー画像生成回路１０８、ベクトル画像生成回路１１０及び波形画像生成回路１１２は、シリアル−パラレル変換器１０６からの出力を受ける入力と、後で詳述する表示制御／付加画像生成回路１２０からの表示位置／表示サイズ設定出力を受ける入力とをそれぞれ有する。さらに、波形画像生成回路１１２は、表示制御／付加画像生成回路１２０からのGBR変換命令を受ける入力を有する。それら画像生成回路１０８、１１０及び１１２は、それぞれ、受けた映像信号を表しかつ受けた表示位置及び表示サイズ設定に従う異なった形態の画像を生成する。
【００２２】
詳細には、ピクチャー画像生成回路１０８は、入力パラレルデータからブランキング期間を除いたアクティブ・ピクチャー画像を生成し、表示器１０２のフォーマットに合わせるため、その生成したピクチャー画像をXGA解像度に変換し、この変換後の生成ピクチャー画像を設定された表示サイズに応じて縮小し、そしてその縮小画像を設定された表示位置にシフトさせ、その結果のXGAサイズのピクチャー画像を出力する。このように生成されたピクチャー画像は、図４に示された画像に含まれることになる。尚、ピクチャー画像が不要な表示モードでは、画像生成回路１０８は、ピクチャー画像出力をマスクする、すなわちピクチャー画像を出力に発生しない。
【００２３】
ベクトル画像生成回路１１０は、入力パラレルデータからブランキング期間を除き、この生成したピクチャー画像をベクトル表示座標系に変換し、ベクトル画像をラスタライズし、さらにラスタライズしたベクトル画像を、表示器のフォーマットに合わせるためにXGAに解像度を変換し、変換後のこのベクトル画像を、設定された表示サイズとなるように縮小し、この縮小画像が設定された表示位置に表示されるようにシフトさせ、その結果のXGAサイズのベクトル画像を出力する。このように生成されたベクトル画像は、図５に示された画像に含まれることになる。尚、ベクトル画像が不要な表示モードでは、画像生成回路１１０は、ベクトル画像出力をマスクする。
【００２４】
波形画像生成回路１１２は、シリアル−パラレル変換器１０６からの入力パラレルデータから、Y（輝度）信号、色差信号Cb及びCr（GBR表示の場合は、G（緑）信号、B（青）信号、R（赤）信号）の３波形に変換し、この３波形を１つの画像にラスタライズし、このラスタライズした画像を表示器のフォーマットに合わせるためXGAに解像度を変換し、変換後の画像を設定された表示サイズとなるように縮小し、この縮小画像を設定された表示位置に表示されるようにシフトさせ、そしてその結果のXGAサイズの波形画像を出力する。このように生成された波形画像は、図６または図７に示された画像に含まれることになる。波形画像が不要な表示モードでは、画像生成回路１１２は、波形画像出力をマスクする。尚、上述のピクチャー画像と、波形画像と、ベクトル画像とは、図８に示された画像には一緒に含まれる。
【００２５】
次に、変換回路１１４は、ピクチャー画像生成回路１０８の出力に接続された入力を有しており、そしてピクチャーフレーム・レート変換を行うことによって、受けたピクチャー画像をXGAレートを有するようにフレームレート変換した後、この変換後のXGAピクチャー画像を出力に発生する。同様に、変換回路１１６は、ベクトル画像生成回路１１０の出力に接続された入力と、波形画像生成回路１１２の出力に接続された入力とを有しており、そしてベクトル画像と波形画像を合成し、この合成した画像を表示器のフォーマットに合わせるためXGAレートにフレームレート変換し、この変換後のXGAベクトル／波形合成画像を出力に発生する。
【００２６】
次に、表示制御／付加画像生成部について説明すると、表示制御／付加画像生成回路１２０は、キー／エンコーダー回路１０４の出力に接続された入力を有しており、ポーリングによってキー／エンコーダー回路からのキーマトリックス出力およびエンコーダー出力を読み出し、これにより操作されたキーから表示モードを決定する。また、表示制御／付加画像生成回路１２０は、操作されたエンコーダーからの出力から、入力映像のサンプル番号とライン番号を、入力映像信号のフォーマットに基づいて算出し出力する。ピクチャー表示でのカーソルの初期位置は、ピクチャー画像内の特定の位置に設定してあり、カーソルの現在位置は、この初期位置からエンコーダー出力に基づいて定める。例えば、入力映像信号がHD SDI 1080i / 59.94のフォーマットを有するときには、フレーム当たりのライン数は１０８０本で、ライン当たりのサンプル数は１９２０であり、この場合、カーソルの初期位置は、ライン１でサンプル番号１９２０の位置である。
【００２７】
選択画素抽出回路１１８は、シリアル−パラレル変換器１０６の出力に接続された入力と、表示制御／付加画像生成回路１２０からの上記出力に接続された入力とを有しており、受けた入力パラレルデータから同期信号を検出することによりサンプル番号及びライン番号を監視し、表示制御／付加画像生成回路１２０から受けたサンプル番号及びライン番号に対応した入力パラレルデータの画素を抽出して出力する。また、選択画素抽出回路１１８は、その抽出した画素の輝度値Y、色差値Cb及びCrを検出してそれら値を更新し、抽出画素データとして抽出した画素とともに出力する。
【００２８】
この抽出画素データを受ける入力を有する表示制御／付加画像生成回路１２０は、抽出画素データから輝度値Y、色差値Cb及びCrを取得する。また、表示制御／付加画像生成回路１２０は、決定した表示モードにしたがってピクチャー画像、ベクトル画像、波形画像の表示サイズ及び位置を設定する。すなわち、スクリーンに１つの画像のみを表示するシングル画面モードでは、ピクチャー画像、ベクトル画像及び波形画像のうちの指定された画像のみの表示サイズ及び位置を、図４〜図７に示されるような表示となるように設定し、マルチ画面モードでは、ピクチャー画像、ベクトル画像及び波形画像のうちの各々の表示サイズ及び位置を、例えば図８に示されるような表示となるように設定する。さらに、表示制御／付加画像生成回路１２０は、波形表示モードに関連してGBR表示が指定されたときにはGBR変換命令を発生する。これら設定及び命令は、前述したように画像生成回路１０８、１１０，１１２で使用される。
【００２９】
さらに、表示制御／付加画像生成回路１２０は、抽出画素データから所定の算出処理を行う。すなわち、各画像への追加のため、ピクチャー画像に付加するカーソルの画像を生成し、またピクチャー画像に付加するG値、B値又はR値を抽出画素データから算出する。尚、ピクチャー画像に付加する値は、Y（輝度）値を選択することもできる。カーソル画像の表示位置は、サンプル番号とライン番号、及び表示モードにしたがって定める。また、波形画像に付加するマーカーと目盛の表示位置を抽出画素データと表示モードにしたがって算出し、また波形画像に付加するマーカーの画像を生成する。また、ベクトル画像に付加するCb％値、Cr％値、彩度％値（d）、色相角度（deg）を抽出画素データから算出し、ベクトル画像に付加するマーカーと目盛の表示位置を表示モードにしたがって算出し、またベクトル画像に付加するマーカーの画像を生成する。
【００３０】
最後に、表示制御／付加画像生成回路１２０は、描画メモリー１２２における描画のための処理を行う。すなわち、ピクチャー画像の場合、ピクチャー画像に付加するG値、B値、R値、または輝度値Y（図４の例では輝度値Yのパーセント値を示す）とカーソルの画像を描画メモリー１２２に出力する。ベクトル画像の場合、ベクトル画像に付加するCb値（％）、Cr値（％）、彩度d（％）、色相角度（deg）の数値と、マーカーと、目盛との画像を描画メモリー１２２に出力する。波形画像の場合、波形画像に付加するマーカーと目盛の画像を描画メモリー１２２に出力する。マルチ画面の場合には、ピクチャー画像とベクトル画像と波形画像の３つの画像のための画像を描画メモリー１２２内において合成する。
【００３１】
描画メモリー１２２は、以上の通りの出力を表示制御／付加画像生成回路１２０から受ける入力を有し、そして受けた入力にしたがって描画されたデータを記憶し、その描画データからのXGA描画像（数値、マーカー、カーソル、目盛を含む）を、表示器１０２のXGAレートで出力する。
【００３２】
最後に合成部について説明すると、合成回路１２４は、変換回路１１４の出力と、変換回路１１６の出力と、描画メモリー１２２の出力とにそれぞれ接続された入力を有する。シングル画面モードが選択されたときには、合成回路１２４は、ピクチャー表示モードが選択されたとき、変換回路１１４からのピクチャー画像に対し、描画メモリー１２２からの描画画像、すなわち、ピクチャー画像に付加すべきカーソル、G値、B値又はR値の画像を合成する。この時、ベクトル画像は、ベクトル画像生成回路１１０によりマスクされており、波形画像は、波形画像生成回路１１２によりマスクされている。波形表示モードが選択されたときには、変換回路１１６からの波形画像に対し、描画メモリー１２２からの描画画像、すなわち、波形画像に付加すべきマーカー、目盛の画像を合成する。この時、ピクチャー画像は、ピクチャー画像生成回路１０８によりマスクされており、波形画像は、波形画像生成回路１１２によりマスクされている。ベクトル表示モードが選択されたときには、変換回路１１６からのベクトル画像に対し、描画メモリー１２２からの描画画像、すなわち、ベクトル画像に付加すべきマーカー、目盛、Cb％値、Cr％値、彩度％値（d）、色相角度（deg）の画像を合成する。この時、ピクチャー画像は、ピクチャー画像生成回路１０８によりマスクされており、波形画像は、波形画像生成回路１１２によりマスクされている。マルチ画面モードが選択されたときには、ピクチャー画像とベクトル画像と波形画像を合成し、さらにこの合成画像にそれら３つの画像に付加すべき上記の付加画像を合成する。合成回路１２４は、合成結果を出力に発生する。合成回路１２４の出力を受ける入力を有する表示器１０２は、受けた合成画像をユーザーに対し表示する。
【００３３】
次に、図３のフローチャートを参照して、表示制御／付加画像生成回路１２０の動作を説明する。まず、ステップ３００において、キー検出タスクを実行し、これによって、キー／エンコーダー回路１０４からの出力に対しポーリングを行ってキーマトリックス出力と、エンコーダー出力とを読み出す。ステップ３０２において、キー実行タスクを実行し、これにより、表示モード・データと、ライン番号／サンプル番号を生成する。表示モード・データは、シングル画面モードあるいはマルチ画面モードのいずれが選択されたか、シングル画面モードが選択されたときには、ピクチャー表示モード、波形表示モード、ベクトル表示モードのいずれが選択されたかを示す。また波形表示モードが選択されたときには、ＧＢＲ波形表示が選択されたのかどうかを示す。生成したライン番号／サンプル番号は、選択画素抽出回路１１８に出力して、前述の画素抽出を行わせる。
【００３４】
ステップ３０４では、モニタータスクを実行し、これにおいては、表示モード・データで指定された「ピクチャータスク」、「ベクトルタスク」、「波形タスク」と呼ぶタスクのうちの１つあるいはそれらすべてを実行し、これらタスクは、それぞれピクチャー画像表示モード、ベクトル画像表示モード、波形画像表示モードに関係したものである。
【００３５】
まず、ステップ３０６において、ピクチャータスクを実行する。このピクチャータスクにおいては、ステップ３０６０において、表示モード・データ（すなわち、シングル画面モードまたはマルチ画面モード）から、ピクチャー画像のモニター・スクリーン２０２における表示位置及びサイズを決定し、ステップ３０６２において、これら決定結果をピクチャー画像生成回路１０８に出力する。次に、ステップ３０６４において、抽出画素データから、カーソルを表示する位置を決定するとともに、カーソル画像を生成する。次に、ステップ３０６６において、カーソルの表示位置を、XGA座標上での位置に変換する。このピクチャータスクにより、図４及び図８に示されているように、ピクチャー画像４００または８００のスクリーン２０２における表示位置とサイズが決定され、また、そのピクチャー画像における水平及び垂直カーソル４０２と４０４または８０２と８０４の位置が決定される。尚、図４では、カーソルの交点で選択した画素Ｐ１のライン番号及びサンプル番号と、カーソルの交点の近くにおいてその画素の例えば輝度値Y (パーセント)を示している。尚、本実施形態では、カーソルで３つまで位置指定を行うことができるため、画素Ｐ２，Ｐ３のライン番号とサンプル番号も上端に示されているが、これらは、アクティブピクチャー外にあるため、スクリーンには表示されていない。尚、図８のマルチ画面では、画素Ｐ２，Ｐ３に関するデータは表示していないが、表示することも可能である。カーソルによる３つの位置指定の間の切り替えは、例えばファンクションキーを使って行うことができる。
【００３６】
次に、ステップ３０８では、ベクトルタスクを実行する。このベクトルタスクにおいては、ステップ３０８０において、表示モード・データから、ベクトル画像のモニター・スクリーン２０２における表示位置及びサイズを決定し、ステップ３０８２において、これら決定結果をベクトル画像生成回路１１０に出力する。次に、ステップ３０８４において、選択画素抽出回路１１８から受けたCb/Cr値から、ベクトル画像に付加するCb％値、Cr％値、彩度％値（d）、色相角度（deg）を抽出画素データから算出する。さらに、ベクトル画像に付加するマーカー、目盛及び数値の表示位置を表示モード（すなわち、シングル画面モードまたはマルチ画面モード）にしたがって決定し、またベクトル画像に付加する、例えば十字形状のマーカーの画像を生成する。マーカー表示位置は、ベクトル表示用のベクトル座標（横軸がCb値、縦軸がCr値）内における位置である。次に、ステップ３０８６において、マーカー、目盛及び数値の表示位置を、XGA座標上での位置に変換する。このベクトルタスクにより、図５および図８に示されているように、ベクトル画像５００または８１０のスクリーン２０２における表示位置とサイズが決定され、また、マーカー５０２または８１２、目盛５０４または８１４、数値５０６または８１６の位置が決定される。
【００３７】
次に、ステップ３１０では、波形タスクを実行する。この波形タスクにおいては、ステップ３１００において、表示モード・データから、波形画像のモニター・スクリーン２０２における表示位置及びサイズを決定し、ステップ３１０２において、これら決定結果を波形画像生成回路１１２に出力する。波形表示でGBR表示が選択されたときには、GBR変換命令も出力する。次に、ステップ３１０４において、波形画像に付加するマーカー及び目盛の表示位置を表示モード（すなわち、シングル画面モードまたはマルチ画面モード）にしたがって決定し、また波形画像に付加する、例えば十字形状のマーカーの画像を生成する。マーカー表示位置は、波形表示用の波形座標（横軸が時間、縦軸が各成分の大きさ）内における位置である。横軸での位置は、サンプル番号から決定し、縦軸での位置は、選択画素抽出回路１１８から受けたY値、Cb値及びCr値を％値に変換することにより決定する。尚、本実施形態では、各ラインの波形が重畳されるようにしているが、ライン番号を指定して全ラインの波形を重畳せずに指定ラインのみを表示することや、ピクチャー画像上で選択されたラインのみを表示することもできる。次に、ステップ３１０６において、マーカー及び目盛の表示位置を、XGA座標上での位置に変換する。この波形タスクにより、図６および図８に示されているように、波形画像６００または８２０のスクリーン２０２における表示位置とサイズが決定され、また、マーカー６０２〜６０６または８２２〜８２６、目盛６０８または８２８の位置が決定される。尚、図６と図８では、波形画像は、輝度（Y）波形と、色差（Cb）波形と、色差（Cr）波形とを示しているが、GBR表示が選択されたときには、図７に示すように、緑（G）波形、青（B）波形、赤（R）波形が波形画像７００として表示される。この場合にも、各波形に対しマーカー７０２〜７０６と、目盛７０８が生成され表示される。
【００３８】
次に、ステップ３１２で描画タスクを実行する。この描画タスクでは、ピクチャータスク、ベクトルタスク、波形タスクで生成した画像を描画データとして描画メモリー１２２に送って、描画メモリー内において画像を形成する。
【００３９】
以上の通り、本発明の１実施形態のモニター１００を使用すれば、ユーザーは、ピクチャー表示モードでの画像内でカーソルを使って位置を指定することにより、他のベクトル画像や波形画像内にマーカーを表示させることができる。これにより、ユーザーは、同じ映像信号内の位置に対応する位置を、複数の異なった形態の画像において見つけることが容易にできる。しかも、ライン番号とサンプル番号によって位置を選択することができるため、対応する位置の特定を非常に正確に行うことができる。
【００４０】
尚、本発明の上記実施形態では、位置選択は、ピクチャー画像上で行うように構成しているが、波形表示上で行うこともできる。また、上記実施形態では、位置選択とマーカー表示とは、同一のモニターで行う構成としているが、これに限定されるものではなく、互いに異なったモニター上で行うこともできる。例えば、図９に示すように、ピクチャーモニターで位置選択を行い、波形モニターあるいはベクトルスコープ上でマーカーを表示するようにすることもできる。その場合には、選択した位置を表すデータをピクチャーモニターから他のモニター等に送れば良い。このような実施形態では、図１の回路全体あるいはキー／エンコーダー回路１０４を除く部分を他のモニターにも設け、ピクチャーモニターからの位置データを受けるように構成すればよい。
【００４１】
次に、図１０のフローチャートを参照して、本発明の別の特徴を説明する。この特徴は、前述のマーカーに加えて追加のマーカーを表示することに関するものである。この追加のマーカーは、以下の説明では「ターゲット・マーカー」と呼ぶことにする。尚、このターゲット・マーカーは、前述のマーカーの表示なしでも表示させることができる。図１０のフローチャートで示す処理は、図１の表示制御／付加画像生成回路１２０で実施される。図１のその他の回路部分の動作は、図１に関連して説明したのとほぼ同様である。
【００４２】
まず、図１０のステップ１０００において、キー検出タスクを実行して、ポーリングによってキーマトリックス出力とエンコーダー出力を読み出す。次のステップ１００２でキー実行タスクを実行する。このタスクでは、ベクトル画面が表示された状態において、ターゲット・マーカー表示が選択されたことを検出し、そのときにターゲット・マーカーを表示させるべき位置を決定する。ユーザーは、水平と垂直カーソルを移動させることによってターゲット・マーカーを表示させる位置を選択することができる。尚、ターゲット・マーカー表示時のカーソルの初期位置は、ベクトル座標内の中心に設定してあり、エンコーダーを操作することによって、カーソルをベクトル座標内の任意の位置に移動させることができる。
【００４３】
次のステップ１００４において、ベクトルタスクを実行する。このタスクでは、ステップ１００４０において、ターゲット・マーカーの表示位置を、表示モード（シングル画面モードかマルチ画面モード）、ベクトル画像の表示位置と表示サイズとから決定する。このターゲット・マーカーの表示位置は、ベクトル表示を行うためのベクトル座標内の位置である。次に、このベクトル座標内の位置から、この位置における、CbとCrの％値、彩度％値（d）、色相角度（deg）の数値を算出する。次に、ステップ１００４２において、ターゲット・マーカーの表示位置をXGA座標上の位置に変換する。次のステップ１００６では描画タスクを実行し、これにより、ターゲット・マーカーの画像と、これに関連した数値の画像を描画データとして描画メモリー１２２に出力する。この出力を受けた描画メモリー１２２は、その中に、前述のベクトル画像に付加すべき画像を形成する。尚、図１に関して説明した付加画像も、必要に応じて描画メモリー１２２内に形成されており、したがって描画メモリー１２２からの出力を受ける合成回路１２４は、受けたターゲット・マーカーに関する画像を、図５または図８の画像に追加する。
【００４４】
図１１は、図８のマルチ画面モードでの画像に対し、ターゲット・マーカーを追加した表示例を示している。図示のように、図１の構成によって生成されたマーカー１１００とその数値１１０２に加え、ターゲット・マーカー１１０４とその数値１１０６が含まれている。上述のように、ターゲット・マーカーは、ユーザーがベクトル座標内の任意の位置を指定して表示させることができる。
【００４５】
このターゲット・マーカーは、前述のマーカーと組み合わせて使用することができる。例えば、複数のカメラで同一の被写体を撮影することにより、それら複数のカメラ間の調整をすることがある。このとき、最初に、第１のカメラで撮影した映像信号を受けて、図１の構成により、ピクチャー画像内の位置（被写体のある位置に対応）を指定してベクトル画像内にマーカー１１００を表示させる。次に、このマーカー１１００の位置にターゲット・マーカー１１０４を移動させてその位置に表示させたままにする。次に、モニター１００において、第２のカメラからの映像信号を受けるように切り替え、そしてこのときのピクチャー画像内の対応する位置（被写体の上記位置）を指定して、ベクトル画像内に第２のマーカーを表示させる。この第２のマーカーが、ターゲット・マーカーとずれているときには、第１と第２のカメラの調整がずれていることを示すことができる。また、マーカー値とターゲット・マーカー値の双方の数値が表示されるため、どのパラメータの値がどの程度ずれているのかをユーザーは知ることができる。このように、マーカーとターゲット・マーカー及びそれらの数値表示の使用により、２つのカメラ間の調整を従来と比べ容易により正確に行えるようになる。
【００４６】
図１０に関連した上記ターゲット・マーカーの説明では、ターゲット・マーカーの生成に関する動作のみを含み、図５または図８に示したようなベクトル画像の生成については含んでいない。したがって、図１２に示すようにターゲット・マーカー１２００（ターゲット・マーカー値１２０２の表示を含む）を単独で表示させるときには、図１で説明したベクトル画像の生成に関する処理のみを追加で実行すれば良い。
【００４７】
尚、上述の実施形態では、マーカーの形態は十字形状としたが、これは一例に過ぎず、Ｘ字形状や、ドット等のそれ以外の形状も可能である。また、位置選択にカーソルを使用したが、これも一例に過ぎず、任意のその他のポインタを使用することができる。場合によっては、画像内の位置の選択は、ライン番号とサンプル番号を数値を使って直接選択してもよい。さらに、上記の実施形態では、３つまでの位置を選択することができるが、これも一例に過ぎず、これより多いあるいは少ない位置を選択するようにすることもできる。さらに、上記実施形態では、一部をコンピュータとプログラムによって実施したが、モニターの全ての回路をハードウェアで構成することもでき、また、上記実施形態でハードウェアで構成した回路をコンピュータとプログラムで構成するように変更することもできる。
【００４８】
以上、いくつかの例示的な側面および実施形態について詳述したが、当業者には、種々の変更、置換、追加、サブコンビネーションが認識される。したがって、添付の請求の範囲に記載した請求項および将来請求の範囲に含めることのある請求項の解釈は、真の要旨および範囲内にあるものとしてのあらゆるそのような変更、置換、追加、サブコンビネーション等もそれら請求項が包含するもの、としてなされるよう意図している。
【図１】
2013171891.tif 000003
【図２】
2013171891.tif 000004
【図３】
2013171891.tif 000005
【図１０】
2013171891.tif 000006
【図４】
2013171891.tif 000007
【図５】
2013171891.tif 000008
【図６】
2013171891.tif 000009
【図７】
2013171891.tif 000010
【図８】
2013171891.tif 000011
【図９】
2013171891.tif 000012
【図１１】
2013171891.tif 000013
【図１２】
2013171891.tif 000014
【国際調査報告】
2013171891.tif 000015
2013171891.tif 000016
2013171891.tif 000017
2013171891.tif 000018